【事件の表示】
　特願２００１−１５３６４４号「露点温度制御方法及びこれを用いた外調機」拒絶査定不服審判事件〔平成１４年１２月４日出願公開、特開２００２−３４９９０１号〕について、次のとおり審決する。
【結　論】
　本件審判の請求は、成り立たない。
【理　由】
１．手続の経緯
　本件に係る出願（以下「本願」という。）は、平成１３年５月２３日の出願であって、平成２３年１月１９日付けで拒絶査定がなされ（発送日：同年１月２５日）、これに対し、同年４月２５日に拒絶査定不服審判の請求がなされたものである。
　
２．本願発明について 
　本願の請求項２に係る発明（以下「本願発明」という。）は、平成２２年９月６日付け手続補正書により補正された明細書及び図面の記載からみて、その特許請求の範囲の請求項２に記載された事項により特定される次のとおりのものである。 
「【請求項１】
水と空気が接触する充填材部と、該充填材部の上方に設けた散水ノズルとからなる水／空気直接接触型熱交換器を本体内に設け、
　該本体内であって、該水／空気直接接触型熱交換器の下方に設けた温度制御可能な水槽の水を前記散水ノズルに送って上方から散水し、外部から該本体内に取り入れた空気を下方から上昇させて前記充填材部内を通し、該空気と前記散水された水及び充填材部の充填材を伝わって落下する水とを相対向して接触させて熱交換を行い、
　前記散水する水の温度を制御することによって、所望の露点温度状態の空気を得ることを特徴とする露点温度制御方法。
【請求項２】
　処理すべき空気より低温の水を散水して冷房用空気を得ることを特徴とする請求項１に記載の露点温度制御方法。」
　
３．刊行物について
（１）原査定の拒絶の理由において提示された刊行物である特開平５−１１８５９６号公報（以下「刊行物１」という。）には、図面と共に次の事項が記載されている。
a)「【産業上の利用分野】本発明は、氷蓄熱槽で作り出された冷水を用いて空調空気を冷却する空調機および熱交換器に関する。」（段落【0001】）
b)「ここに、本願出願人は、近年様々な分野での導入が懸案されている氷蓄熱システムを利用して熱交換器、ひいては空調機を構成することに着目し、これにより上記問題点を一挙に解決しようとするものである。
　本発明は上記課題に鑑みて創案されたものであり、その目的は、構造が簡単で、安価に製作することができると共に、冷媒等の循環ポンプの能力の省力化を確保できて消費電力の削減を達成でき、且つ経年劣化の防止やメンテナンスの省力化、並びに空調機設置空間の空間利用率の向上に寄与することができる空調器および熱交換器を提供することにある。」（段落【0007】〜【0008】）
c)「【実施例】以下、本発明の実施例を図に基づいて詳細に説明する。図１から図３は本発明にかかる空調機１０の一実施例を示し、図１は空調機１０の全体を示す概略構成図、図２は熱交換器２０を構成するケーシング２４の斜視図、図３はケーシング２４に収容される充填材２６の斜視図である。
　即ち、本実施例の
空調機１０は
熱交換器２０
　前記
氷蓄熱槽１２
　前記
氷蓄熱槽
の水面上方には
熱交換器２０を配設する
熱交換器２０は
多数の孔部を有するケーシング２４内に、充填材２６を収容して構成される
　前記空間部２２の図中左右両端部には、氷蓄熱槽１０の側壁を貫通して空気導入口２８および空気流出口３０が形成される。そして、
送風機３２を介して空気導入口２８から
導入された空気は前記熱交換器２０を通過し
　一方、前記氷蓄熱槽１２の水１４が蓄えられた底部には、冷水供給系を構成する冷水配管３３が連通され、この冷水配管３３は循環ポンプ３４を介して前記熱交換器２０の上方に配管される。また、冷水配管３３が
熱交換器２０の上方に
パンチングプレート状の散水用穴開きパン３６が設けられ
冷水１４を受けて
穴開きパン３６から熱交換器２０の上方に流下され散水される
　以上の構成により本実施例の空調機１０にあっては、氷蓄熱槽１２に設けた空間部２２に熱交換器２０を配置し、この熱交換器２０によって温度調和しようとする空気が冷却される。前記熱交換器２０は冷媒としての冷水１４が充填材２６の上方から散水されようになっており、この散水された冷水１４は充填材２６の表面を伝って氷蓄熱槽１２内に落下される。そして、送風機３２で圧送された外気等がこの
充填材２６の空隙部分を通過する
この空気と前記充填材２６の表面を流下する冷水１４との間で直接接触式の熱交換が行われる
空調空気
室内の冷房を行う
　尚、前記熱交換器２０で空気が冷却される際、この空気が充填材２６表面において、
露点温度以下の冷水１４に直接に接触されるため、空気中の水蒸気は結露して除湿される
相対湿度は１００％に近い状態となる
d)「尚、本実施例では上記熱交換器２０に冷水１４を散水するが、この冷水１４としては不凍液を混合したものでも良く、また氷点以下の過冷却水およびシャーベット状の冷水を含むものとする。シャーベット状の冷水でも良いのは、冷水供給系の圧力損失が小さいことと、熱交換器２０内部で冷水１４が部分凍結を起こしても熱交換を阻害しないことによる。」（段落【0031】）
　
　上記a〜dの記載事項及び図面の図示内容を総合勘案すると刊行物１には、次の発明が記載されていると認められる。
「多数の孔部を有するケーシング24内に、充填材26を収容して構成される熱交換器20と、熱交換器20の上方にパンチングプレート状の散水用穴開きパン36とを設けた空調機10を備え、
　熱交換器20の下方に設けた氷蓄熱槽10で作り出される、露点温度以下の冷水14を散水用穴開きパン36で受けて、散水用穴開きパン36から熱交換器20の上方に流下され散水され、
　送風機32を介して空気導入口28から導入された空気を熱交換器20の充填材26の空隙部分を通過させ、この空気と充填材26の表面を流下する冷水14との間で直接接触式の熱交換が行われ、
　温度調和され、露点温度以下の冷水14に直接接触されることにより、空気中の水蒸気は結露して除湿される、相対湿度１００％に近い状態の室内の冷房に用いる空調空気を得る空調方法。」
　
（２）原査定の拒絶の理由において提示された刊行物である特開平５−３０２７３５号公報（以下「刊行物２」という。）には、図面と共に次の事項が記載されている。
a)「以上の構成において調温装置８により適温に調整した水を湿式熱交換部ｅの上部チャンバー２内に送れば、水は小孔６から落下して含水材１の両面を濡らして下部チャンバー３に溜り、下部チャンバー３内の水はポンプ９により上部チャンバー２に循環する。従って空調設備のファンｄの駆動により
室ａ内よりの還気
湿式熱交換部ｅの前記含水材１の濡れ面に沿って通過させる
調温装置８で調整した水温に応じて所定温度の調和空気として
室ａ内の空調が行われ
濡れ面との接触によって
b)「本装置において室内に吹出される空気は相当の湿気を有するものと考えれるが、
熱交換部ｅに供給される水は、冷房時には通過する空気の露点温度以下または露点温度付近にコントロールする
　
　上記a〜bの記載事項及び図面の図示内容を総合勘案すると刊行物２には、次の発明が記載されていると認められる。
「所定温度の調和空気を得るために、室a内よりの還気を含水材1の濡れ面に沿って通過させ、濡れ面と接触させることにより熱交換を行う湿式熱交換部eを設け、冷房時には、湿式熱交換部ｅに供給される水の水温を調温装置８で、通過する空気の露点温度以下または露点温度付近にコントロールし、室ａ内の空調を行う空調方法。」
　
４．対比
　本願発明と刊行物１に記載された発明とを対比する。
　刊行物１に記載された発明の「多数の孔部を有するケーシング24内に、充填材26を収容して構成される熱交換器20と、熱交換器20の上方にパンチングプレート状の散水用穴開きパン36とを設けた空調機10」と、本願発明の「水と空気が接触する充填材部と、該充填材部の上方に設けた散水ノズルとからなる水／空気直接接触型熱交換器を本体内に設け」ることとは、前者において、熱交換器20には、充填材26が収容され、熱交換器20の上方に散水用穴開きパン36が設けられており、また、熱交換器20により、空気と水との直接接触式の熱交換が行われるものであるから、両者は、「水と空気が接触する充填材部と、該充填材部の上方に設けた散水孔とからなる水／空気直接接触型熱交換器を本体内に設け」ることで共通し、以下同様に、
　刊行物１に記載された発明の「熱交換器20の下方に設けた氷蓄熱槽10で作り出される、露点温度以下の冷水14を散水用穴開きパン36で受けて、散水用穴空きパン36から熱交換器20の上方に流下され散水」されることと、本願発明の「本体内であって、該水／空気直接接触型熱交換器の下方に設けた温度制御可能な水槽の水を散水孔ノズルに送って上方から散水」することとは、「本体内であって、該水／空気直接接触型熱交換器の下方に設けた水槽の水を散水孔に送って上方から散水」することで、
　刊行物１に記載された発明の「送風機32を介して空気導入口28から導入された空気を熱交換器20の充填材26の空隙部分を通過させ、この空気と充填材26の表面を流下する冷水14との間で直接接触式の熱交換が行われ」ることと、本願発明の「外部から該本体内に取り入れた空気を下方から上昇させて充填材部内を通し、該空気と散水された水及び充填材部の充填材を伝わって落下する水とを相対向して接触させて熱交換を行」うこととは、前者において、冷水14は、散水用穴空きパン36から熱交換器20の上方に流下され散水されることから、冷水14には、充填材26の表面を流下するもの以外にも、直接、氷蓄熱槽10に落下するものが存在することは明らかであるから、両者は、「外部から該本体内に取り入れた空気を充填材部内を通し、該空気と散水された水及び充填材部の充填材を伝わって落下する水とを直接接触させて熱交換を行」うことで、
それぞれ共通する。
　ここで、刊行物１に記載された発明の「温度調和され、露点温度以下の冷水14に直接接触されることにより、空気中の水蒸気は結露して除湿される、相対湿度１００％に近い状態の室内の冷房に用いる空調空気を得る」ことと、本願発明の「散水する水の温度を制御することによって、所望の露点温度状態の空気を得る」こと、及び、「処理すべき空気より低温の水を散水して冷房用空気を得る」こととを対比する。
　前者において、空気は、露点温度以下の所定温度の冷水14に直接接触され、相対湿度１００％に近い状態、すなわち、露点状態となるものであるから、両者は、「散水する水の温度を、所定温度とすることによって、所望の露点温度状態の空気を得る」ことで共通する。また、前者は、冷房に用いる空調空気を得るために、空気を露点温度以下の冷水14に直接接触させるものであるから、後者の「処理すべき空気より低温の水を散水して冷房用空気を得る」ことに相当する。
　そして、刊行物１に記載された発明の「空気調和方法」は、相対湿度１００％に近い状態、すなわち、露点温度状態の室内の冷房に用いる空調空気を得るものであるから、「露点温度制御方法」に相当する。
　
　したがって、上記両者の一致点および相違点は、次のとおりである。
［一致点］
「水と空気が接触する充填材部と、該充填材部の上方に設けた散水孔とからなる水／空気直接接触型熱交換器を本体内に設け、
　該本体内であって、該水／空気直接接触型熱交換器の下方に設けた水槽の水を前記散水孔に送って上方から散水し、外部から該本体内に取り入れた空気を前記充填材部内を通し、該空気と前記散水された水及び充填材部の充填材を伝わって落下する水とを直接接触させて熱交換を行い、
　前記散水する水の温度を、所定温度とすることによって、所望の露点温度状態の空気を得る露点温度制御方法。
　上記露点温度制御方法において、処理すべき空気より低温の水を散水して冷房用空気を得ること。」
　
［相違点１］
　散水孔が、本願発明では、散水ノズルであるのに対して、刊行物１に記載された発明では、パンチングプレート状の散水用穴である点。
　
［相違点２］
　本願発明では、水槽の水が温度制御可能であり、散水する水の温度を制御するものであるのに対して、刊行物１に記載された発明では、氷蓄熱槽10で作り出される冷水14が露点温度以下であり、冷水14の温度も露点温度以下である点。
　
［相違点３］
　熱交換が、本願発明では、下方から上昇させた空気と、散水あるいは落下された水とを相対向して接触させるのに対して、刊行物１に記載された発明では、空気導入口28から導入された空気を熱交換器20の充填材26の空隙部分を通過させ、この空気と充填材26の表面を流下する冷水14との間で熱交換させる点。
　
５．当審による判断
（１）上記相違点１及び３について
　散水式熱交換器の技術分野において、空気の温度及び湿度条件をより正確にコントロールするために、散水をノズルから行うとともに、散水された水と下方から上昇させた気体とを相対向して直接接触させて熱交換を行うことは、本願出願前に周知の技術事項である（例えば、特開平９−２３６２８０号公報、段落【0016】〜【0017】、【0024】、【図1】の散水ノズル7を具備する散水式熱交換器8や、特開昭５９−２００７１９号公報、第3ページ左上欄第14行〜同右上欄第11行のノズル10を具備する加湿塔5を参照。）。
　そして、刊行物１に記載された発明と上記周知の技術事項とは、散水式熱交換器を具備する点で共通の技術分野に属するものである。
　してみると、刊行物１に記載された発明に、空気の温度及び湿度をより正確にコントロールするために上記周知の技術事項を適用して、パンチングプレート状の散水用穴を散水ノズルに換えるとともに、熱交換器20に導入される空気を下方から上昇させ、空気と冷水14とを相対向して接触させることは当業者が容易になし得たものである。
　
（２）上記相違点２について
　刊行物２には、水と空気との接触により熱交換を行う熱交換器を設け、所定温度の調和空気を得るために空気と接触させる水の水温を所定温度に調整した発明が記載されている。
　そして、刊行物１に記載された発明と刊行物２に記載された発明とは、水と空気との接触により熱交換を行う熱交換器を備えた空調方法という共通の技術分野に属する発明である。
　また、刊行物１に記載された発明と刊行物２に記載された発明とは、所定温度の調和空気を得るという共通の課題を解決するものである。
　さらに、刊行物１に記載された発明は、冷水14として、温度が露点温度以下のものを使用するものであるから、冷水14の温度を温度制御して、より正確な空気温度の制御を行うことは、当業者が通常行っている技術事項といえる。
　してみると、刊行物１に記載された発明に、所定温度の調和空気を得るための手段として、に刊行物２に記載された発明を適用して、氷蓄熱槽10で作り出される冷水14の温度を温度制御可能とすることにより、散水する水の温度を制御することは、当業者が容易になし得たものである。
　
（３）小括
　本願発明の奏する効果についてみても、刊行物１〜２に記載された発明及び周知の技術事項から当業者が予測できた効果の範囲内のものである。
 　 
６．むすび 
　以上のとおりであるから、本願発明は、刊行物１〜２に記載された発明及び周知の技術事項に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。